(57)【要約】【課題】安全ヘルメットを提供する。【解決手段】本発明による安全ヘルメットは、キャップ（１）を備え、このキャップは、キャップ自体の前面開口（４）の側面（３）に蝶番式に取り付けられ、かつ、前面開口を遮る位置と、前記開口に対して持ち上げられた位置との間で回転し得る少なくとも１つのバイザ（２）；（１０２）と、キャップの前面開口の側面に蝶番式に取り付けられ、かつ、キャップおよび前記バイザに対して回転可能な遮蔽要素（５）；（１０５）とを備えている。本発明のヘルメットは、いずれの回転方向にも、所定の角度間隔で、バイザに対する遮蔽要素の、またはその逆の相対回転変位を制限する第１手段（１２）（１５）（１６）；（１１２）（１１５）（１１６）も備えている。【選択図】図１
2006002334.tif 000002
【特許請求の範囲】
【請求項１】
キャップ（１）を備えるタイプの安全ヘルメットであって、前記キャップは、前記キャップの前面開口（４）の側面（３）に蝶番式に取り付けられ、かつ、前記前面開口を遮る位置と、前記開口に対して持ち上げられた位置との間で移動し得る少なくとも１つのバイザ（２）；（１０２）と、前記キャップの前記前面開口の前記側面に蝶番式に取り付けられ、かつ、前記キャップおよび前記少なくとも１つのバイザに対して回転可能な少なくとも１つの遮蔽要素（５）；（１０５）とを備えるヘルメットにおいて、所定の角度間隔で、前記少なくとも１つのバイザに対する前記少なくとも１つの遮蔽要素の相対回転を制限する第１制限手段（１２）（１５）（１６）；（１１２）（１１５）（１１６）を備えていることを特徴とする安全ヘルメット。
【請求項２】
前記相対回転を制限する前記第１手段は、２つの別個の移動端位置を含むシート（１２）；（１１２）内で、スライド可能に係合する少なくとも１つの突起部（１５）を備え、前記突起部と前記シートは、それぞれ、前記少なくとも１つの遮蔽要素と前記少なくとも１つのバイザに、あるいはその逆の関係で固定されていることを特徴とする、請求項１に記載の安全ヘルメット。
【請求項３】
前記キャップに対する前記少なくとも１つの遮蔽要素の相対回転を制限する第２制限手段（１０）を備えていることを特徴とする、請求項１または２に記載の安全ヘルメット。
【請求項４】
前記相対回転を制限する第２制限手段は、２つの別個の移動端位置を含む第２シート（１０）を備え、前記シート内で、少なくとも１つの突起部が係合し、前記シートと前記突起部は、それぞれ、前記ヘルメットのキャップと前記少なくとも１つの遮蔽要素と、あるいはその逆の関係で一体化されるようになっていることを特徴とする、請求項２または３に記載の安全ヘルメット。
【請求項５】
前記少なくとも１つの突起部（１５）は、前記少なくとも１つの遮蔽要素と一体であり、前記少なくとも１つのバイザと一体である前記第１シート（１２）内で係合し、同時に、前記ヘルメットのキャップと一体である前記第２シート（１０）内で係合するようになっている、請求項４に記載の安全ヘルメット。
【請求項６】
前記少なくとも１つの遮蔽要素は、前記ヘルメットの前記キャップの、前記少なくとも１つのバイザが旋回するのと同じ軸に対応する位置に旋回軸を持っていることを特徴とする、請求項１〜５のいずれかに記載の安全ヘルメット。
【請求項７】
前記少なくとも１つの遮蔽要素は、前記ヘルメットの前面開口に関して、前記少なくとも１つのバイザの外側に配置されていることを特徴とする、請求項１〜６のいずれかに記載の安全ヘルメット。
【請求項８】
前記少なくとも１つの遮蔽要素は、その回転中に、前記ヘルメットの前記キャップに対して、不連続ないくつかの安定な位置にのみ到達する形状である、請求項１〜７のいずれかに記載の安全ヘルメット。
【請求項９】
前記キャップに、前記少なくとも１つのバイザを回転可能に拘束するための、前記キャップの１つの側面と一体である少なくとも１つの基部構造体（６）と、前記少なくとも１つの遮蔽要素の回転を拘束する少なくとも１つの係合装置（１６）（２０）；（１１６）（１２０）とを備え、前記係合装置は、前記基部構造体に脱着可能に拘束されていることを特徴とする、請求項１〜８のいずれかに記載の安全ヘルメット。
【請求項１０】
前記係合装置は、前記少なくとも１つの遮蔽要素用の回転表面を備え、かつ前記基部構造体に拘束し得る中間支持体（１６）；（１１６）と、前記少なくとも１つの遮蔽要素が軸方向にスライドしないように、前記中間支持体に脱着可能に固定された保持カバー（２０）；（１２０）とを備えていることを特徴とする、請求項９に記載の安全ヘルメット。
【請求項１１】
前記保持カバーは、前記基部構造に脱着可能に拘束されている、請求項１０に記載の安全ヘルメット。
【請求項１２】
前記少なくとも１つの遮蔽要素は、前記係合装置に対して、前記少なくとも１つの遮蔽要素が相対回転する間に、前記係合装置に設けられた歯状部分（１８）；（１１８）と弾性的に係合する少なくとも１つの回転止め（１４）；（１１４）を備えるか、あるいは、前記係合装置に設けられた回転止め（１４）；（１１４）と弾性的に係合する少なくとも１つの歯状部分（１８）；（１１８）を備えている、請求項９〜１１のいずれかに記載の安全ヘルメット。
【請求項１３】
前記少なくとも１つの遮蔽要素の少なくとも一部は、光の放射の透過率が低い第２バイザであることを特徴とする、請求項１〜１２のいずれかに記載の安全ヘルメット。
【請求項１４】
前記少なくとも１つの遮蔽要素は、太陽光または環境因子から保護するフラップであることを特徴とする、請求項１〜１３のいずれかに記載の安全ヘルメット。
【請求項１５】
安全ヘルメットのキャップ（１）の側面に回転可能に拘束された１組のバイザであって、前記キャップに対して回転可能な少なくとも１つのバイザ（２）；（１０２）と、前記キャップおよび前記少なくとも１つのバイザに対して回転可能な少なくとも１つの遮蔽要素（５）；（１０５）とを備えるタイプの１組のバイザにおいて、所定の角度間隔で、前記少なくとも１つのバイザに対する前記少なくとも１つの遮蔽要素の相対回転を制限する手段（１２）（１５）（１６）；（１１２）（１１５）（１１６）を備えることを特徴とする、１組のバイザ。
【請求項１６】
相対回転を制限する前記手段は、２つの別個の移動端位置を含むシート（１２）；（１１２）内でスライド可能に係合する少なくとも１つの突起部（１５）；（１１５）を備え、前記突起部と前記シートは、それぞれ、前記少なくとも１つの遮蔽要素と、前記少なくとも１つのバイザに、あるいはその逆の関係で固定されていることを特徴とする、請求項１５に記載の１組のバイザ。
【請求項１７】
前記ヘルメットのキャップに対する少なくとも１つの遮蔽要素の回転を制限する第２制限手段（１０）を備えていることを特徴とする、請求項１５または１６に記載の１組のバイザ。
【請求項１８】
前記少なくとも１つのバイザ、および前記少なくとも１つの遮蔽要素は、まったく同じ軸に沿って前記キャップの側面で旋回するようになっている、請求項１５〜１７のいずれかに記載の１組のバイザ。
【請求項１９】
前記少なくとも１つの遮蔽要素は、前記少なくとも１つのバイザに対して、外にあることを特徴とする、請求項１５〜１８のいずれかに記載の１組のバイザ。
【請求項２０】
前記少なくとも１つの遮蔽要素の少なくともある区域は、光線の透過率が低いバイザである、請求項１５〜１９のいずれかに記載の１組のバイザ。
【請求項２１】
前記少なくとも１つの遮蔽要素は、光線または環境因子から保護する回転可能なフラップである、請求項１５〜１９のいずれかに記載の１組のバイザ。
【発明の詳細な説明】
【技術分野】
【０００１】
本発明は、主としてオートバイの運転で使用される安全ヘルメットに関する。このヘルメットは、ヘルメットの前面開口の側面のキャップに蝶番式に取り付けられたバイザと、光線、または雨などの他の環境因子から保護する遮蔽要素とを備えるタイプのものである。
【０００２】
この遮蔽要素は、やはりキャップに蝶番式に取り付けられ、キャップおよびバイザに対して移動させることができ、それによって、運転時に遭遇し得る様々な環境条件（昼間、夜間、トンネルなど）に応じて、使用者がこの遮蔽要素の使用・不使用を、二者択一的に選択することができる。
【背景技術】
【０００３】
オートバイの運転者用の安全ヘルメットに、従来の透明バイザだけでなく、光線から保護する遮蔽要素をも設けることは、公知技術の一部である。キャップまたはバイザに拘束されたこの遮蔽要素は、光線が視界の邪魔になる場合には、使用者の目を保護するように配置することができ、明るさが制限される場合には、使用者自身の視野が妨げられないように配置することができる。このような遮蔽要素は、通常、例えば太陽光用のフィルタからなる、光の放射の透過が制限された透明な領域を備える追加のバイザである。
【０００４】
ＢＭＷの名義で出願されたイタリア国特許第１１７７２５０号は、キャップに旋回軸があり、ヘルメットの前面開口を遮るように設計された透明バイザと、やはりヘルメットのキャップに拘束され、前記透明バイザの下に配置された防眩遮蔽要素とを備える安全ヘルメットを開示している。具体的には、この遮蔽要素は、前記遮蔽要素が、ヘルメットの前面開口を少なくとも部分的に遮る動作位置と、前記前面開口を遮らないように、遮蔽要素がキャップ自体に設けられた陥凹部に収容される非動作位置との間を移動し得る。
【０００５】
この実施形態では、当技術分野では周知の他の類似の実施形態の場合と同様に、内部遮蔽要素および外部透明バイザは、実質的に別々の方法で作動させられ、そのため、外部バイザの回転は、遮蔽要素が到達する位置に影響を及ぼさない。その逆も同様である。その結果、走行時に生じ得る不測の状況（例えば、上部バイザに汚れが急激に形成される）のために、視界が急激に狭められる状況では、使用者は、反射的に、外部バイザを開けて視界をより広くしようとするが、そうする際に、主バイザとは、独立な遮蔽要素は同じ位置に留まり、その結果、最大視界を取り戻すことができないということが起こり得る。
【０００６】
本出願人の名義で出願されたヨーロッパ特許公開第０５９０２５５号は、低透過率の（すなわち、光線を遮るように設計された）追加のバイザが、高透過率の外部バイザの下でヘルメットのキャップに対して旋回する、オートバイの運転で使用する安全ヘルメットを開示している。これらのバイザは、ともに、ヘルメットの前面開口を（全部または部分的に）遮る位置と、これらのバイザがともにキャップ内部に設けられたシートに収容される、前記前面開口に対して持ち上げられた位置との間で移動し得る。内部バイザは、移動端で、外部バイザの上端を拘束することを想定しており、それによって、これら２つのバイザは、外部バイザが所与の相対位置に配置されるときにのみ、固定された状態で回転し得る。
【０００７】
その結果、これら２つの結合されたバイザは、少なくとも一回転方向に互いに独立に自由に移動し、したがって、これらのバイザは、使用中に、使用者が、アクセスするのが容易ではないか、あるいは作動させるのが不都合である位置に独立的に到達する。
【０００８】
そのため、例えば、上記で説明したバイザの組では、外部バイザを持ち上げると、ヘルメットの前面開口に対し、はっきりと後退した位置に、キャップ上の内部バイザが持ち上がり、その後、ヘルメットの前面開口と係合した外部バイザを作動させても、例えば、前記外部バイザの（前面開口により近く、使用者が容易にアクセスし得る）下部領域と対応する位置に配置された導入部分のために、キャップに対して内部バイザが到達した後退位置は影響を受けない。このことは、その後、内部バイザを下げてヘルメットの前面開口を遮るには、使用者は、キャップ上で後退した位置に置かれた内部バイザのグリップを識別しそれを回転させるか、あるいは、別の動作を実施しなければならず、使用者にとって、かなり面倒であることを示唆している。
【０００９】
さらに、これらのバイザが、ともにヘルメットの前面開口を遮るように配置されるとき、内部バイザを、その移動端位置に到達するまで持ち上げることが、外部バイザを持ち上げることと機械的に関連づけられておらず、したがって、使用者がこれら２つのバイザを、ヘルメットの前面開口から持ち上げようとしたときに、内部遮蔽バイザだけを誤って作動させると、外部バイザのために必要な面倒な持ち上げ動作を繰り返すことになる。
【００１０】
ＨＥＬＭ  ＩＮＴＥＲＮＡＴＩＯＮＡＬ社によるヨーロッパ特許公開第１３２３３６１号は、太陽光を遮蔽する内部バイザおよび透明外部バイザを備える安全ヘルメットに関するものである。これは、２つのバイザが、それらの持ち上げ位置で、キャップの外面の上に配置されるヨーロッパ特許公開第０５９０２５５号に記載のヘルメットとまったく同様である。ＨＥＬＭ  ＩＮＴＥＲＮＡＴＩＯＮＡＬ社が提案するヘルメットは、各バイザごとに所定の角度に応じて、キャップに対するこれら２つのバイザの移動を制限する手段を備えている。
【００１１】
ＲＯＭＥＲ社の名義で出願された英国特許公開第２０５２２４４号は、ヘルメットの前面開口を遮る透明バイザの外側に、遮蔽要素すなわち遮蔽バイザを設けることを教示している。これらの２つのバイザの相対移動は、それらの幾何学的かつ空間的な構造によって調節され、この構造には、所与の相互位置においてさえ、これらの２つのバイザの回転を固定する特定の手段は設けられない。ＲＯＭＥＲ社のヘルメットは、キャップに対して、これらの２つのバイザの回転角度を制限する手段を備えている。
【００１２】
ヨーロッパ特許公開第１３２３３６１号および英国特許公開第２０５２２４４号の特許はともに、ヨーロッパ特許公開第０５９０２５５号に関連して説明したのと同じ欠点を示す。
【００１３】
最後に、ＲＯＭＥＲ社の特許に記載のバイザの組の場合、上部遮蔽バイザの下側縁部が、（適切なストッパによって規制されずに）下部透明バイザの外面に当接することにより、透明バイザに傷がつき、またひびが入る恐れがある。
【００１４】
同様に当技術分野で周知であるが、キャップに連結され、ヘルメットの前面開口の上側縁部に対応する位置に配置されたフラップを備えるオートバイの運転者用の安全ヘルメットを提供することが求められている。透明バイザの上を延び、それによって前面開口を遮る前記フラップは、通常、キャップ自体に対して固定され、太陽光または雨などの環境因子から、使用者を保護する機能を有する。
【００１５】
Ｍｏｎｉｎの名義で出願されたフランス国特許公開第２５０１４７８号は、ヘルメットの前面開口の上で、脱着不可能に保護フラップを固定し、前記保護フラップに、透明バイザを回転可能に結合することを教示している。キャップに拘束された回転可能なバイザがなく、保護フラップを、前面開口から取り外すか、少なくとも前面開口から離すように移動させることができないと、前記ヘルメットの使用は極めて面倒になり、機能的ではなくなる。
【００１６】
Ｓｈｏｅｉ社の名義で出願されたヨーロッパ特許公開第０４７９４９７号は、キャップ自体に回転可能に連結されたバイザの上部に配置され、キャップに拘束された脱着可能な保護フラップを備えるヘルメットを記載している。
【００１７】
ヘルメットのバイザの上部に配置され、キャップに固定されたフラップの存在により、ヘルメット自体の構造がある程度複雑になるのに加えて、使用者によるバイザの作動が面倒になり、実際、前記フラップによって作動が妨げられる恐れがある。
【００１８】
上記で引用した両方の例では、さらに、固定フラップによりもたらされる太陽光の遮蔽の有効性は、ある照射条件下、あるいは一日のある時間帯でのみ、満足のゆくものであり、他の時間帯または他の状況では、部分的に、または全く不十分になり、使用者は、所望の遮光を求めて、その頭部の位置をとることを余儀なくされることになる。さらに、光線が、物体により反射して、水平面内を伝播する場合には、先験的にまったく遮光されなくなる。
【特許文献１】イタリア国特許第１１７７２５０号
【特許文献２】ヨーロッパ特許公開第０５９０２５５号
【特許文献３】ヨーロッパ特許公開第１３２３３６１号
【特許文献４】英国特許公開第２０５２２４４号
【特許文献５】フランス国特許公開第２５０１４７８号
【特許文献６】ヨーロッパ特許公開第０４７９４９７号
【発明の開示】
【発明が解決しようとする課題】
【００１９】
本発明の目的は、キャップの前面開口の側面に、旋回軸をもつ少なくとも１つの透明バイザ、および少なくとも１つの遮蔽要素を備える、好ましくはオートバイの運転で使用される安全ヘルメットを提供することである。このヘルメットは、使いやすく、そのため、上記で説明した欠点がない。
【００２０】
本発明の別の目的は、上記で言及したタイプの安全ヘルメットに、より確実に、使用者が、使用者自身の自発的な操作に続いて、視野の透過性または明るさを減少させることができるようにすることである。このことは、この製品の所与の構成でのみ可能であり、他のいかなる構成でも達成し得ないことである。
【００２１】
本発明の別の目的は、構造的にある程度簡単であり、ヘルメットに付随するバイザの組の組立、およびメンテナンス作業に好都合に機能し得る、上記で言及したタイプの安全ヘルメットを提供することである。
【００２２】
本発明の別の目的は、透明バイザ、および光線または環境因子から保護する遮蔽要素からなるタイプであって、製作し易く、使用が簡単な、安全ヘルメット用の１組のバイザを提供することである。
【課題を解決するための手段】
【００２３】
上記その他の目的は、第１独立請求項、および後続の従属請求項に記載の安全ヘルメットによって、また、請求項１５およびそれに従属する後続の請求項に記載のバイザの組によって実現される。
【００２４】
本発明による安全ヘルメットは、キャップを備え、このキャップは、キャップ自体の前面開口の側面に蝶番式に取り付けられ、かつ、前面開口を遮る位置と、前記開口に対して持ち上げられた位置との間で回転し得る、公知の技術による少なくとも１つのバイザと、キャップの前面開口の側面に蝶番式に取り付けられ、かつ、キャップおよび前記バイザに対して回転可能な遮蔽要素とを備えている。本発明のヘルメットは、いずれの回転方向にも、所定の角度間隔で、バイザに対する遮蔽要素の、またはその逆の相対回転変位を制限する第１手段をも備えている。
【００２５】
ヘルメットのバイザに対する遮蔽要素の相対回転が、所定の角度に制限される場合、これら２つのバイザ自体の作動中に、これらのバイザの自由相対回転角度を超えたときに、バイザと遮蔽要素が互いに固定されて、これら２つのバイザのいずれの回転方向にも回転し得る。これにより、遮蔽要素またはバイザがそれぞれすでに回転した後、その後の作動に最も適切な位置に、バイザまたは遮蔽要素が配置される。
【００２６】
具体的には、例えば、バイザと遮蔽要素の相対回転が制限される角度を適切に選択することによって、ヘルメットの前面開口と係合したバイザを下げると、遮蔽要素自体を、ヘルメットの前面開口と係合していないにもかかわらず、フラップとして機能し、太陽光その他の環境因子から、使用者を保護することができる位置に移動させることができ、遮蔽要素は、いかなる場合でも、使用者が作動させるのに容易な状態のままである。というのは、遮蔽要素は、前記前面開口に対して過剰に後退しないからである。
【００２７】
本発明の好ましい態様によれば、バイザは、高透過率の、すなわち、透明な材料で作製することができ、遮蔽要素は、透過率が高くない光フィルタを備えたバイザからなっている。あるいは、遮蔽要素は、太陽光線または雨などの環境因子から保護するフラップとしてもよい。
【００２８】
さらに、本発明の好ましい実施形態では、遮蔽要素は、ヘルメットのバイザの回転軸と同じ回転軸と一致して旋回し、バイザに対して外側に配置される。
【００２９】
ヘルメットのバイザの回転軸と同じ回転軸を使用することと、遮蔽要素がバイザに対して外側にあることにより、遮蔽要素は、おそらくは、有利にかつ容易に、任意選択で適切なバイザを備えたヘルメット上に装着される。
【００３０】
さらに、本発明の特定の態様によれば、いずれの回転方向にも、所定の角度で、バイザに対する遮蔽要素の相対回転を制限する前記第１手段は、遮蔽要素と一体の突起部または突出部を備えている。この突起部または突出部は、２つの別個の移動端拘束部を備える、バイザと一体のシート内で、スライド可能に係合する。
【００３１】
すなわち、好ましくは遮蔽要素と一体で作製されたピンの形態の突起部と、バイザに直接設けられた円弧形状のシートとを単に結合させることにより、透明バイザに対する遮蔽要素の相対回転は、所定の角度で所望のとおりに容易に制限される。円弧形状を有するシートの端部位置により、以下の説明からも明らかになるように、前記移動端拘束部が画定される。この移動端拘束部分により、突起部が前記端部の１つのところに置かれ、使用者が、バイザまたは遮蔽要素を、突起部とこの端部の相互係合が維持される方向に作動させるときに、バイザと遮蔽要素が相互に近づくこととなる。
【００３２】
以下、添付の図を参照して、本発明によるヘルメットおよびバイザの組のいくつかの実施形態を、単なる非限定的な例として説明する。
【発明を実施するための最良の形態】
【００３３】
本発明の安全ヘルメットの好ましい実施形態では、図１〜図３に示すように、キャップ１自体に設けられた前面開口４の側面３と対応する位置で、キャップ１に、ほぼ透明であるか、あるいはいかなる場合でも、光の透過率が大きいバイザ２が、回転式に取付けられている。公知のように、バイザ２は、使用者が、キャップ１に対して、前面開口４を完全に遮る位置と、前面開口４に対して持ち上げられた位置との間で、回転させることができる。
【００３４】
このヘルメットは、光線を遮蔽する（すなわち、光の透過率が小さい）遮蔽要素５も備えている。遮蔽要素５は、前面開口４の側面３に旋回軸をもち、キャップ１およびバイザ２に対して回転し得る。好ましくは、遮蔽要素５は、太陽光を遮蔽するフィルタを備えた、バイザ２よりも寸法が小さい補足的なバイザである。
【００３５】
図１でわかるように、本発明の好ましい態様によれば、遮蔽要素５は、使用者がそれを直接作動させることができるように、透明なバイザ２の上に配置されている。例えばヨーロッパ特許公開第０５９０２５５号に記載のものなど、バイザ２の下に遮蔽要素５を配置する代替形態も、実施可能である。
【００３６】
周知の技術によるバイザ２は、キャップ１の側面３に固定された基部構造体６を備える機構によって、キャップ１に脱着可能に取付けられる。基部構造体６は、バイザ２に固定された１つまたは複数の係合用の歯２３（図３参照）用のハウジングまたは成形シート２４、同じバイザ２の円形貫通孔１１と係合するピン７、および歯２３と成形シート２４を係合させ、かつそれらの係合を解除し得る（図示しない）手段を備えている。ピン７の周りでバイザ２を回転させることにより、使用者は、安全ヘルメットの使用中に、前面開口４に対して、前記バイザ２を下げるか、または回転させることができる。
【００３７】
例示しない実施形態では、バイザ２は、例えば固定（一体化）された状態で、キャップ１自体から突出するピンによって脱着不可能に、あるいは、ねじ、つめなどの類似の周知の手段によって、脱着可能に、取付けられ、キャップ１の側面３のところで旋回させることができる。
【００３８】
遮蔽要素またはバイザ５も、ヘルメットの前面開口４から係合解除された状態である持ち上げた位置と、ヘルメットの前面開口４と係合した状態である下げた位置との間を回転し得るように、キャップ１の前面開口４の側面３のところで、旋回させることができる。後者の位置では、遮蔽要素５は、使用者の目を、太陽光から効果的に、直接または間接に保護することとなる。
【００３９】
図では寸法が小さく、低透過率のバイザとして表わされている前記遮蔽要素５は、ある特定の応用例では、太陽光線、または雨などの悪天候条件から、使用者を保護する機能を有する回転可能なフラップを備えるいわゆる「つば」とすることができる。
【００４０】
具体的には、この回転可能なフラップは、例えば、ヘルメットの通常の使用姿勢では、使用者の目の領域に太陽光線が到達せず、かつ、起こり得る雨滴が、普通なら透明なバイザ２の表面に落ちる代わりに、遮蔽要素５の上に落ち、その結果、ヘルメット１の前面開口４によって範囲が定められた領域に影響を及ぼさない形状とされている。
【００４１】
図２および図３に示す実施形態は、遮蔽要素５は、構造的に簡素である点で、明らかに有利であり、バイザ２と同じ回転軸まわりに旋回させうる。すなわちバイザ２のピンと、遮蔽要素５のピンは、少なくとも幾何学的に一致している。ただし、バイザ２の回転軸と遮蔽要素５の回転軸が一致しない他の実施形態とすることも可能である。
【００４２】
図２〜図４の実施形態では、遮蔽要素５は、係合装置１６、２０によって、キャップ１に固定されている。この係合装置は、キャップ１に対して、遮蔽要素５を、バイザ２の回転軸と同じ回転軸に沿って回転させることができ、同時に、遮蔽要素５が、その回転軸に沿って、キャップ１から後退してスライドしないように設計されている。
【００４３】
図２および図３に示す特定の実施形態では、係合装置１６、２０は、キャップ１にバイザ２を拘束する機構である適切な構成の基部構造体６に、脱着可能に拘束され、それによって、係合装置１６、２０と基部構造６の相対変位が妨げられている。
【００４４】
より具体的には、図に示す係合装置は、遮蔽要素５を回転し得るように設計された、ほぼ円筒形の中間支持体１６と、支持体１６および要素５を基部構造６に、したがってキャップ１に拘束するように設計された保持カバー２０とを備えている。
【００４５】
中間支持体１６は、その側面に、少なくとも１つの円形旋回部を備え、この部分で、遮蔽要素５の孔１３と回転可能に係合している。中間支持体１６はさらに、同じ孔１３内を内側に突出している、遮蔽要素５に固定された回転止め１４と弾性的に係合するように設計された少なくとも１つの円形の歯状部分１８を備えている。回転止め１４と中間支持体１６の歯状部分１８が係合することにより、キャップ１に対して遮蔽要素５を不連続な角度間隔で回転させることができる。
【００４６】
中間支持体１６は、中央位置に、固定キー２１を挿入し得るように適切な形状とされた貫通孔１７を備えている。中間支持体１６はさらに、その内面に沿って、対照要素（突起）１９も備えている。対照要素１９は、基部構造体６のピン７に設けられた対応するハウジング８と係合するように設計されている。
【００４７】
固定キー２１は、遮蔽要素５を軸方向に保持するためにカバー２０に固定され、前記カバー２０の内壁から突出している。カバー２０および基部構造体６は、キャップ１に固定された後、遮蔽要素５の軸方向に、すなわち相対回転軸に沿って、スライドしない構造および寸法を有する。
【００４８】
より詳細には、基部構造体６は、固定用キー２１を挿入し得るハウジング９と、中間支持体１６の対照要素である突起１９を挿入しうる、ピン７の側壁に沿って設けられた複数のハウジング８とを備えている。ハウジング９は、キー２１自体が到達する相対回転角度に応じて、キー２１を支障なくスライドさせ、また軸方向に保持することができる形状とし、したがって、カバー２０を実質的にバヨネット様に固定する。
【００４９】
ハウジング８はさらに、中間支持体１６の芯出し要素として機能する形状として、ピン７の側壁に沿って配置し得る。添付の図１および図２でわかるように、適切に離間して配置された３つのハウジング８の存在により、貫通孔１７とハウジング９が芯出しされるように、あらかじめ設定した相対配置に従って、基部構造体６に中間支持体１６を結合することができる。
【００５０】
基部構造体６のハウジング（陥凹部）８内で、突起１９が係合することにより、基部構造体６に対する中間支持体１６の回転が妨げられ、中間支持体１６の貫通孔１７および基部構造体６のハウジング９に、キー２１で塞ぎながらそれを挿入し、その後回転させることにより、カバー２０、したがって、中間支持体１６自体の基部構造体６に対する軸方向のスライドが妨げられる。
【００５１】
本発明による安全ヘルメットは、さらに、バイザ２に対する遮蔽要素５の相対回転変位を、いずれの回転方向にも所定の角度間隔で制限する制限手段１２、１５を備え、それによって、遮蔽要素５の２つの別個の、バイザ２に対する所定の相対位置を超えたときにのみ、遮蔽要素５は、バイザ２に固定された状態で回転可能になる。
【００５２】
このようにして、すでに述べたように、使用者が触れるのに不都合な位置で、キャップ１上に遮蔽要素５が置かれることが防止され、また、ヘルメットの前面開口４と係合したバイザ２を、意図しないにもかかわらず作動させても、前面開口４と係合した遮蔽要素５が、望まないのに同時に下がることを防止することが可能になる。
【００５３】
さらに、バイザ２と遮蔽要素５の曲率が異なっているために、遮蔽要素５の上側または下側の一方の縁部が、おそらくは使用者が誤って径方向に押した結果、おそらくは誤ってバイザ２に当たり、かつスライドし、それによってバイザ２に傷がつき、またバイザ２が損傷を受けることが、バイザ２に対する遮蔽要素５の回転を所定の角度間隔で制限する前記手段の存在により防止される。
【００５４】
図２および図３に示す本発明の好ましい実施形態では、バイザ２に対する遮蔽要素５の回転を制限する前記第１手段は、２つの別個の移動端位置を含む、バイザ２上に設けられた円弧形状のシート１２と、遮蔽要素５の内面と一体に作製されるか、あるいはそれに固定された突起部またはピン１５とを備えている。突起部１５は、円形のシート１２内でスライド可能に係合し、シート１２の２つの移動端拘束部によって、遮蔽要素５の相対回転が制限される。
【００５５】
もちろん、遮蔽要素５にシート１２を設け、バイザ２に突起部１５を固定してなる、本発明によるヘルメットの特定の実施形態を想定し得る。
【００５６】
シート１２は、突起部１５との係合により、バイザ２に対して持ち上げられた位置と、バイザ２自体の上部領域と係合した状態の下げられた位置との間で、遮蔽要素５を回転可能にし得る幾何形状にする。前記位置は、バイザ２に対して相対的なものであるので、絶対基準系では、これらの位置は明らかに、バイザ２自体がとる位置に依存する。
【００５７】
本発明の特別な態様によれば、安全ヘルメットはさらに、キャップ１に対する遮蔽要素５の相対回転を制限する第２手段を備えている。好ましくは、この手段は、遮蔽要素５に固定された突起部によって構成され、直接または間接にキャップ１に固定されたシート１０内で係合するように設計されている。
【００５８】
図２および図３に示す実施形態では、キャップ１に対する遮蔽要素５の回転を制限する前記第２手段は、バイザ２に対する遮蔽要素５の回転を制限するのにすでに使用されている遮蔽要素５に固定された突起部１５によって構成されている。突起部１５は、バイザ２に設けられたシート１２を超えて、バイザ２をキャップ１に拘束する機構である基部構造体６に設けられたハウジング２４のシート１０内でも係合する。シート１０は、適切な形状の（すなわち細長い）領域を有する。
【００５９】
突起部１５がスライド可能に挿入されるシート１０の寸法は、突起部１５自体と、バイザ２自体に設けられたシート１２との間に拘束が存在する場合には、キャップ１に対してバイザ２が完全に開くもの、および完全に閉じるものの２つの移動端位置を有するようにする。
【００６０】
シート１０により、突起部１５は、おそらくはシート１２とともに、前記シート１０によって画定された制限内でのみ回転することができ、したがって、遮蔽要素５およびバイザ２は、相互に一体化した形で、基部構造体６のシート１０によって画定された角度間隔に制限された回転を行い得る。
【００６１】
このようにして、バイザ２のシート１２、および基部構造体６のシート２４のシート１０内での突起部１５の二重の拘束により、同様に、同じシート１０内での係合用の歯２３の拘束により、バイザ２および遮蔽要素５の回転が、いかなる場合にも、使用者によるバイザ２および遮蔽要素５の作動を容易にするある角度間隔に制限される。
【００６２】
上記で説明した安全ヘルメットへのバイザ２、５の組の装着には、キャップ１に、基部構造体６を前面開口４の側面３に対応する位置に取り付け、ピン７に円形貫通孔１１を係合させて、基部構造体６にバイザ２を回転可能に取り付けた後に、支持体１６を基部構造体６に嵌合させて、基部構造体６と遮蔽要素５の間に配置することが必要である。
【００６３】
詳細には、突起部１９がピン７の陥凹部８内で係合し、回転止め１４が、歯状部分１８と係合するように、遮蔽要素５の孔１３が、支持体１６自体の側面上で、回転可能になり、突起部またはピン１５が、バイザ２の円形シート１２を通り、基部構造体６の適切に成形されたシート１０内でも係合するように、支持体１６が基部構造体６に結合される。
【００６４】
中間支持体１６はさらに、遮蔽要素５にスナップ動作で取り付けられ、それによって、キャップ１に対して、遮蔽要素５と一体に回転し得る形状とし得る。
【００６５】
支持体１６自体の貫通孔１７および基部構造体６のハウジング９にキー２１を係合させて、中間支持体１６に保持カバー２０を当て、その後、前記保持カバー２０を回転させて、キー２１が軸方向にスライドしないように、キー２１を係合させることにより、遮蔽要素５は安全ヘルメットに簡単に固定される。
【００６６】
上記で説明した遮蔽要素５を取り外すには、保持カバー２０を逆方向に回転させて、基部構造体６のハウジング９からキー２１を解除し、次いで、カバー２０、したがって支持体１６および遮蔽要素５を取り外すことができるように、ハウジング９および貫通孔１７から、前記キー２１をスライドさせて取り出せば十分である。
【００６７】
次に図４および図５を参照して、本発明の別の実施形態による安全ヘルメット用のバイザシステムにつき説明する。
【００６８】
このバイザシステムは、図２および図３に示すバイザシステムの場合と同様に、（図４および図５には示さない）キャップ１自体に固定されたピン１０６により、キャップ１上で、前面開口４の側面３のところで旋回する、高透過率の材料で作製された内部バイザ１０２を備えている。
【００６９】
内部バイザ１０２は、バイザ１０２の円形孔１１１がピン１０６と係合することにより、開口４に対して持ち上げた位置と、下げた位置の間を回転する。図２および図３のバイザ２と同様に、バイザ１０２は、さらに、円形孔１１１の外側に置かれ、かつ有限の角度範囲にわたって延びる円弧形状のシート１１２を備えている。
【００７０】
図４および図５に示すバイザシステムは、好ましくは、高透過率のバイザ１０２よりも寸法が小さく、低透過率のバイザである遮蔽要素１０５も備えている。遮蔽要素１０５は、バイザ１０２の上に配置され、やはり、バイザ１０２との係合が解除された状態の持ち上げた位置と、バイザ１０２と係合した状態の下げた位置との間で回転可能である。
【００７１】
遮蔽要素１０５は、その回転軸が、バイザ１０２の回転軸と一致するように、安全ヘルメットのキャップ１に対して、中間支持体１１６を介して旋回する。
【００７２】
具体的には、中間支持体１１６は、適切に成形されたハウジング１０９と係合するように設計された内部キー１２１を備えている。ハウジング１０９は、中間支持体１１６とピン１０６がバヨネット結合式に固定されるようになっている。
【００７３】
ここで、中間支持体１１６とピン１０６の間にバイザ１０２を配置する。こうすると、バイザ１０２は、これらの構成要素を固定して、一体に結合することにより、回転可能に保持されるが、軸方向にスライドすることはできない。
【００７４】
係合用の中間支持体１１６は、さらに、遮蔽要素１０５の貫通孔１１３と係合する中央ピン１０７と、円弧形状の円形貫通シート１１０と、やはり円弧様の形状の２つの歯状部分１１８’および１１８”とを備えている。前記歯状部分１１８’および１１８”は、遮蔽要素１０５と支持体１１６の角度に応じて、遮蔽要素１０５と一体の２つの回転止め１１４’および１１４”と弾性的に係合するように設計されている。
【００７５】
回転止め１１４’および１１４”と歯状部分１１８’および１１８”が係合することにより、遮蔽要素１０５は、その回転作動時に、支持体１１６に対して、不連続ないくつかの安定な角度位置にしか到達し得ない。
【００７６】
内歯１２２’および１２２”を備える成形プレート１２０も、中間支持体１１６と係合し、それによって、遮蔽要素１０５は、支持体１１６自体に回転可能に拘束されるが、軸方向にはスライドし得ないように保持される。具体的には、歯１２２’および１２２”は、貫通孔１１３の外側で、遮蔽要素１０５に設けられた孔またはシート１２３を通り、支持体１１６に設けられた細長いシート１２４内で係合する。遮蔽要素１０５の回転軸を横切る方向にプレート１２０をスライドさせることにより、プレート１２０自体と中間支持体１１６は、脱着可能に拘束される。
【００７７】
ここで説明するバイザ１０２、１０５のシステムも、バイザ１０２に対する遮蔽要素１０５の相対回転を、いずれの回転方向にも、所定の角度間隔で制限する手段となっている。
【００７８】
図２および図３を参照して説明したものと同様に、前記手段は、要素１０５の内面に沿って設けられるか、あるいはそれに固定され、かつ、中間支持体１１６の貫通シート１１０およびバイザ１０２のシート１１２と係合するように設計されたピン１１５を備えている。バイザ１０２のシート１１２内で要素１０５に固定された突起部のスライドが拘束されることにより、それに対応するバイザ１０２自体に対する遮蔽要素１０５の有限な回転が行われる。
【００７９】
中間支持体１１６のシート１１０内でピン１１５が係合することにより、バイザ１０２および遮蔽要素１０５が、シート１１０によって精確に画定された移動端位置を超えることはない。
【００８０】
上記で説明した両方の実施形態では、本発明による、安全ヘルメット用のバイザの組を使用することにより、バイザ２；１０２および遮蔽要素５；１０５が、ヘルメットの前面開口４に対して持ち上げられた位置にある初期位置から開始して、使用者が、ヘルメットの前面開口４と係合した高透過率のバイザ２；１０２を作動させると、バイザ２；１０２に対する遮蔽要素５；１０５の回転を制限する手段１２、１５、１６；１１２、１１５、１１６により、遮蔽要素５；１０５が前面開口４に向かって同時に下がるようになっている。
【００８１】
手段１２、１５、１６；１１２、１１５、１１６の所定の配置および適切なサイズ設定により、遮蔽要素５；１０５とバイザ２；１０２の前記同時回転（下降）は、まず遮蔽要素５；１０５が、前記手段１２、１５；１１２、１１５によって画定された角度範囲で、バイザ２；１０２自体に対して相対的に回転した後でのみ開始され、いかなる場合でも、要素５；１０５がバイザ２；１０２と係合して使用者の目を遮ることを伴わず、開口４の上で、要素５；１０５が、使用者が容易にアクセスし得る好都合な位置に置かれる。
【００８２】
その後、使用者が、バイザ２；１０２とは別に、遮蔽要素５；１０５を前面開口４に向かって自発的に回転作動させることによってのみ、バイザ２；１０２に対して、要素５；１０５が下がり、使用者の目が保護される。
【００８３】
歯状結合部１４、１８；１１４、１１８により、要素５；１０５を下げる際の回転を、要素５；１０５が完全に閉じる前に、不連続な中間位置で制限することも可能である。
【００８４】
さらに、要素５；１０５のこのさらなる回転は、要素５；１０５の下降が完了した最終位置において、要素５；１０５がその下側縁部に対応する位置でバイザ２；１０２の外面に当たらないように、手段１２、１５、１６；１１２、１１５、１１６によって制限される。
【００８５】
次いで、使用者が、要素５；１０５を持ち上げてバイザ２；１０２との係合を解除したい場合には、制限手段１２、１５、１６；１１２、１１６によって、まず要素５；１０５を、バイザ２；１０２に対して相対的に回転させることができ、それによって、前記係合解除が可能になる。要素５；１０５を、持ち上げる方向にさらに過度に回転させると、続けてバイザ２；１０２が同時に持ち上がるが、バイザの組が損傷を受ける恐れはない。
【００８６】
使用者がその代わりに、遮蔽要素５；１０５がとる位置にかかわらず、開口４を遮る位置に置かれたバイザ２；１０２を持ち上げたい場合、その後に、バイザ２；１０２を回転させると、ある角度間隔だけ自由回転した後、前記手段１２、１５、１６；１１２、１１５、１１６のために、要素５；１０５が近づき、その結果、あらかじめ持ち上げる必要がなくなる。
【００８７】
その結果、走行時のいかなる時点かつ／またはいかなる状況でも、遮蔽要素５；１０５に働きかける必要はなく、主バイザ２；１０２に直接かつ単独に働きかけることによって、使用者が可能な最大視界を確実に取り戻すことができる。
【００８８】
最後に、適切にサイズ設定された制限手段１２、１５、１６；１１２、１１５、１１６の動作により、下にあるバイザ２；１０２を持ち上げても、上にある遮蔽要素５；１０５の下側縁部に当たることはなく、そのため、バイザ２；１０２に傷がつき、またひびが入る恐れはない。
【００８９】
バイザ２；１０２および遮蔽要素５；１０５が、ヘルメットの前面開口４に対して完全に持ち上がった位置にある最終位置で、ピン１５；１１５と、ヘルメットのキャップ１に固定された基部構造６のシート１０；１１０の移動端拘束部との間で結合が介在することにより、最終的に、キャップおよびバイザ２；１０２に対して、遮蔽要素５；１０５自体がさらに回転する恐れがなくなる。
【００９０】
これにより、要素５；１０５が、例えば、キャップ自体の上部または背面の区域と接触するまで継続して回転し得ないようにすることができ、それによって、要素５；１０５に傷がつき、また他の問題が生じることがなくなる。
【００９１】
例示の実施形態では、さらに、任意の時点で、主バイザ２；１０２の使用をやめずに、ヘルメットから遮蔽要素５；１０５を極めて簡単に分解することができ、それによって、主バイザの典型的な元の機能上の特徴、および保護的な特徴が、すべて変わらずに維持される。
【図面の簡単な説明】
【００９２】
【図１】本発明による１組のバイザを備える安全ヘルメットの側面図である。
【図２】本発明の特定の態様による安全ヘルメット用の１組のバイザを、上から見た部分破断分解図である。
【図３】図２の同じバイザの組を、下から見た部分破断分解図である。
【図４】本発明の別の態様による安全ヘルメット用の異なる１組のバイザを、上から見た部分破断分解図である。
【図５】図４のバイザの組を、下から見た部分破断分解図である。
【符号の説明】
【００９３】
１  キャップ（ヘルメット）
２  バイザ
３  側面
４  前面開口
５  遮蔽要素（バイザ）
６  基部構造体
７  ピン
８  ハウジング（陥凹部）
９  ハウジング
１０  第２制限手段（シート）
１１  円形貫通孔
１２  制限手段（シート）
１３  孔
１４  回転止め
１５  制限手段（突起部、ピン）
１６  係合装置（中間支持体）
１７  貫通孔
１８  歯状部分
１９  対照要素（突起）
２０  係合装置（保持カバー）
２１  キー
２３  歯
２４  ハウジング（成形シート）
１０２  内部バイザ
１０５  遮蔽要素（バイザ）
１０６  ピン
１０７  中央ピン
１０９  ハウジング
１１０  貫通シート
１１１  円形孔
１１２  シート
１１３  貫通孔
１１４’  回転止め
１１４”  回転止め
１１５  ピン
１１６  中間支持体
１１８’  歯状部分
１１８”  歯状部分
１２０  成形プレート
１２１  内部キー
１２２’  内歯
１２２”  内歯
１２３  シート、穴
１２４  シート
【図１】
2006002334.tif 000003
【図２】
2006002334.tif 000004
【図３】
2006002334.tif 000005
【図４】
2006002334.tif 000006
【図５】
2006002334.tif 000007